(57)【特許請求の範囲】
【請求項１】
伸縮可能な流体用組立管であって、固定管（Ｓ）内部に可動管（Ｒ）の一部が同心に配置され、固定管第１端に第１開口（１６）が設けられ、固定管第２端に固定管フランジ（１８）が固着され、固定管フランジは、可動管外周面に摺動可能に密封係合する固定管密封リング（１９）を備えて固定管第２端と可動管外周面の間を密封し、固定管内部に位置する可動管第１端に可動管摺動リング（２２）が固着され、可動管摺動リングは、固定管内周面に摺動可能に密封係合して固定管内周面と可動管第１端の間を密封し、可動管第２端に可動管フランジ（３２）及び第２開口が設けられ、可動管が固定管内部から最大に引き出されたとき可動管摺動リング（２２）が固定管密封リング（１９）に係合し可動管のそれ以上の引き出しを阻止し、可動管が固定管内部へ最大に挿入されたとき可動管フランジ（３２）が固定管フランジ（１８）に係合して可動管のそれ以上の挿入を阻止し、流体が第１開口、固定管内部、可動管内部、及び第２開口をへて流動され、可動管摺動リング（２２）は、断面Ｕ字形のパッキン（２１）及び摺動リング（２３）の組合せを２対備え,
可動管は、同心に外側から内側へ順に配置される第１管、第２管・・・第ｎ−１管、第ｎ管（ｎ≧３）から成り、前記固定管密封リングは、第１管外周面に摺動可能に密封係合して固定管第２端と第１管外周面の間を密封し、前記可動管摺動リングは、固定管内部に位置する第１管第１端に配置されて固定管内周面に摺動可能に密封係合して固定管内周面と第１管第１端の間を密封し、第１管第２端に第１管フランジが固着され、第１管フランジは、第２管外周面に摺動可能に密封係合する第１管密封リングを備えて第１管第２端と第２管外周面の間を密封し、第１管が固定管内部から最大に引き出されたとき可動管摺動リングが固定管密封リングに係合して第１管のそれ以上の引き出しを阻止し、第１管が固定管内部へ最大に挿入されたとき第１管フランジが固定管フランジに係合して第１管のそれ以上の挿入を阻止し、第１管内部に位置する第２管第１端に第２管摺動リングが配置されて第１管内周面に摺動可能に密封係合して第１管内周面と第２管第１端の間を密封し、第２開口側の第ｎ−１管第２端に第ｎ−１管フランジが固着され、第ｎ−１管フランジは、第ｎ管外周面に摺動可能に密封係合する第ｎ−１管密封リングを備えて第ｎ−１管第２端と第ｎ管外周面の間を密封し、第ｎ−１管内に位置する第ｎ管第１端に第ｎ管摺動リングが固着され、第ｎ管摺動リングは、第ｎ−１管内周面に摺動可能に密封係合して第ｎ−１管内周面と第ｎ管第１端の間を密封し、前記可動管フランジ及び流体出口は、第ｎ管第２端に設けられ、第ｎ管が第ｎ−１管内部から最大に引き出されたとき第ｎ管摺動リングが第ｎ−１管密封リングに係合し第ｎ管のそれ以上の引き出しを停止し、第ｎ管が第ｎ−１管内部へ最大に挿入されたとき可動管フランジが第ｎ−１管フランジに係合して第ｎ管のそれ以上の挿入を阻止することを特徴とする伸縮可能な流体用組立管。
【請求項２】
固定管（Ｓ）内部に可動管（Ｒ）の一部が同心に配置され、固定管第１端に第１開口（１６）が設けられ、固定管第２端に固定管フランジ（１８）が固着され、固定管フランジは、可動管外周面に摺動可能に密封係合する固定管密封リング（１９）を備えて固定管第２端と可動管外周面の間を密封し、固定管内部に位置する可動管第１端に可動管摺動リング（２２）が固着され、可動管摺動リングは、固定管内周面に摺動可能に密封係合して固定管内周面と可動管第１端の間を密封し、可動管第２端に可動管フランジ（３２）及び第２開口が設けられ、可動管が固定管内部から最大に引き出されたとき可動管摺動リング（２２）が固定管密封リング（１９）に係合し可動管のそれ以上の引き出しを阻止し、可動管が固定管内部へ最大に挿入されたとき可動管フランジ（３２）が固定管フランジ（１８）に係合して可動管のそれ以上の挿入を阻止し、流体が第１開口、固定管内部、可動管内部、及び第２開口をへて流動される伸縮可能な流体用組立管が伸縮運動可能なブーム組立体（Ｂ）に並行に配置され、可動管フランジ（３２）がブーム組立体の対応する部分と連結され、可動管フランジは、ブーム組立体により支持されると共に、ブーム組立体の対応する部分の移動により移動されることを特徴とする伸縮可能な流体用組立管。
【請求項３】
請求項２に記載の伸縮可能な流体用組立管であって、可動管は、同心に外側から内側へ順に配置される第１管、第２管・・・第ｎ−１管、第ｎ管（ｎ≧３）から成り、前記固定管密封リングは、第１管外周面に摺動可能に密封係合して固定管第２端と第１管外周面の間を密封し、前記可動管摺動リングは、固定管内部に位置する第１管第１端に配置されて固定管内周面に摺動可能に密封係合して固定管内周面と第１管第１端の間を密封し、第１管第２端に第１管フランジが固着され、第１管フランジは、第２管外周面に摺動可能に密封係合する第１管密封リングを備えて第１管第２端と第２管外周面の間を密封し、第１管が固定管内部から最大に引き出されたとき可動管摺動リングが固定管密封リングに係合して第１管のそれ以上の引き出しを阻止し、第１管が固定管内部へ最大に挿入されたとき第１管フランジが固定管フランジに係合して第１管のそれ以上の挿入を阻止し、第１管内部に位置する第２管第１端に第２管摺動リングが配置されて第１管内周面に摺動可能に密封係合して第１管内周面と第２管第１端の間を密封し、第２開口側の第ｎ−１管第２端に第ｎ−１管フランジが固着され、第ｎ−１管フランジは、第ｎ管外周面に摺動可能に密封係合する第ｎ−１管密封リングを備えて第ｎ−１管第２端と第ｎ管外周面の間を密封し、第ｎ−１管内に位置する第ｎ管第１端に第ｎ管摺動リングが固着され、第ｎ管摺動リングは、第ｎ−１管内周面に摺動可能に密封係合して第ｎ−１管内周面と第ｎ管第１端の間を密封し、前記可動管フランジ及び流体出口は、第ｎ管第２端に設けられ、第ｎ管が第ｎ−１管内部から最大に引き出されたとき第ｎ管摺動リングが第ｎ−１管密封リングに係合し第ｎ管のそれ以上の引き出しを停止し、第ｎ管が第ｎ−１管内部へ最大に挿入されたとき可動管フランジが第ｎ−１管フランジに係合して第ｎ管のそれ以上の挿入を阻止することを特徴とする伸縮可能な流体用組立管。
【請求項４】
請求項１〜３のいずれか１項に記載の伸縮可能な流体用組立管が、伸縮運動可能なブーム組立体の両側に並行にそれぞれ１組ずつ配置され、各組立管の可動管フランジがブーム組立体の対応する部分と連結されてブーム組立体の対応する部分の移動により移動され、高圧水及び高圧空気がそれぞれ１組の組立管を通りブーム組立体の先端に配置された人工雪製造用スプレーノズルへ供給されることを特徴とする降雪機。
【請求項５】
請求項４に記載の降雪機であって、ブーム組立体の基部が、支持台上に配置される水平方向の支持軸により支持され、ブーム組立体の基部が支持軸のまわりに回動されることによりブーム組立体の先端の高さが変更可能であり、支持台が垂直軸のまわりに回転されることによりブーム組立体の先端の水平位置が変更可能にされ、スプレーノズルは、水平面内及び垂直面内においてブーム組立体の長手方向に対しそれぞれ所定角度変更可能であることを特徴とする降雪機。
【発明の詳細な説明】
【０００１】
【産業上の利用分野】
本発明は、高圧の水、空気等の流体を供給又は排出する伸縮可能な流体用組立管及びそのような流体用組立管を使用した降雪機に関する。
【０００２】
【従来の技術】
スキー場のゲレンデの雪不足を補うために、例えば、実公平７ー４４９２６号公報にみられるような固定式降雪装置が使用される。固定式降雪装置は、地面に固定された固定式ポール上のスプレーノズルから水及び高圧空気を氷結温度以下の空気中へ噴射し、微粒化した水を空気中で氷結させ散布する。この公報に記載の降雪装置は、スプレーノズルの向きが変更可能にされているが、水及び高圧空気は、それぞれ固定のエアーパイプ及び給水ホースによりスプレーノズルへ供給されるため、降雪範囲を広くすることができなかった。
【０００３】
また、特開平７ー４８０５号公報に記載の氷雪蓄積散布装置は、脚柱上に配置され垂直方向軸線のまわりに回転可能に支持された伸縮自在な氷雪供給管を備え、比較的広い範囲に氷雪を散布可能であるが、この装置は、氷雪供給設備から供給される氷雪を、氷雪供給管及びその先端に配置した氷雪吹出ノズルから噴出するものであり、スプレーノズルにより微粒化した水を空気中で氷結させ散布する降雪機と異なり、氷雪供給設備を備えることが必要であり、また伸縮自在な氷雪供給管は、降雪機のスプレーノズルに供給されるような比較的高圧の水又は空気を搬送するために必要な密封性を具備しないものである。
【０００４】
従来の固定式降雪機の架台は、設置された位置に固定され、一定方向への降雪作業を行うものが一般的であり、上下動及び旋回動を有する一部の架台においても降雪範囲は、狭い範囲に限定されていた。
【０００５】
【解決しようとする課題】
本発明の目的は、比較的高圧の流体、例えば、降雪機のスプレーノズルへ供給される２０ｋｇ／ｃｍ２程度の水又は空気、をほぼ漏洩なく通すことができると共に、所定距離、例えば、固定式降雪機のスプレーノズルの作業範囲に適する１０ｍ〜３０ｍの距離を、比較的頻繁に伸縮できる組立管を提供することである。
【０００６】
本発明の他の目的は、組立管の全長が、組立管を構成する複数の同心管を、例えば、伸縮運動可能なブーム組立体により、それぞれ重なり合う部分が増加されることにより短縮され、また、その逆に、複数の同心管の重なり合う部分が減少されることにより、伸長される伸縮可能な流体用組立管を提供することである。
【０００７】
本発明の別の目的は、組立管が伸長されるとき、組立管を構成する複数導管のうちの相互に関係する外側導管及び内側導管が簡単な構造により互いに外れることがなく、また組立管が短縮されるとき、組立管のうちの内側導管が外側導管内へ簡単な構造により入込み過ぎることのない流体用組立管を提供することである。
【０００８】
本発明の更に別の目的は、伸縮可能な流体用組立管を降雪機のスプレーノズルへ水又は空気を供給するために用いると共に、スプレーノズルの位置を水平方向又は垂直方向に可変とすることにより、広い範囲に効率よく降雪可能な降雪機を提供することである。本発明の更に別の目的は、このような降雪機において、スプレーノズルの水噴射方向を変更可能にし、広い範囲に均一に降雪することを可能にする降雪機を提供することである。本発明のその他の目的は、以下の説明及び図面から明らかにされる。
【０００９】
【解決するための手段】
本発明の伸縮可能な流体用組立管は、固定管内部に可動管の一部が同心に配置され、固定管第１端に第１開口が設けられ、固定管第２端に固定管フランジが固着される。固定管フランジは、可動管外周面に摺動可能に密封係合する固定管密封リングを備えて固定管第２端と可動管外周面の間を密封する。固定管内部に位置する可動管第１端に可動管摺動リングが固着される。可動管摺動リングは、固定管内周面に摺動可能に密封係合して固定管内周面と可動管第１端の間を密封する。
【００１０】
可動管第２端に可動管フランジ及び第２開口が設けられ、可動管が固定管内部から最大に引き出されたとき可動管摺動リングが固定管密封リングに係合し可動管のそれ以上の引き出しを阻止する。可動管が固定管内部へ最大に挿入されたとき可動管フランジが固定管フランジに係合して可動管のそれ以上の挿入を阻止する。流体は、第１開口、固定管内部、可動管内部、及び第２開口をへて流動される。
【００１１】
本発明の他の特徴によれば、可動管は、同心に外側から内側へ順に配置される第１管、第２管・・・第ｎ−１管、第ｎ管（ｎ≧３）から成り、固定管密封リングは、第１管外周面に摺動可能に密封係合して固定管第２端と第１管外周面の間を密封し、可動管摺動リングは、固定管内部に位置する第１管第１端に配置されて固定管内周面に摺動可能に密封係合して固定管内周面と第１管第１端の間を密封する。第１管第２端に第１管フランジが固着され、第１管フランジは、第２管外周面に摺動可能に密封係合する第１管密封リングを備えて第１管第２端と第２管外周面の間を密封する。第１管が固定管内部から最大に引き出されたとき可動管摺動リングが固定管密封リングに係合して第１管のそれ以上の引き出しを阻止し、第１管が固定管内部へ最大に挿入されたとき第１管フランジが固定管フランジに係合して第１管のそれ以上の挿入を阻止する。
【００１２】
第１管内部に位置する第２管第１端に第２管摺動リングが配置されて第１管内周面に摺動可能に密封係合して第１管内周面と第２管第１端の間を密封する。第２開口側の第ｎ−１管第２端に第ｎ−１管フランジが固着され、第ｎ−１管フランジは、第ｎ管外周面に摺動可能に密封係合する第ｎ−１管密封リングを備えて第ｎ−１管第２端と第ｎ管外周面の間を密封する。第ｎ−１管内に位置する第ｎ管第１端に第ｎ管摺動リングが固着され、第ｎ管摺動リングは、第ｎ−１管内周面に摺動可能に密封係合して第ｎ−１管内周面と第ｎ管第１端の間を密封する。可動管フランジ及び流体出口は、第ｎ管第２端に設けられ、第ｎ管が第ｎ−１管内部から最大に引き出されたとき第ｎ管摺動リングが第ｎ−１管密封リングに係合し第ｎ管のそれ以上の引き出しを停止し、第ｎ管が第ｎ−１管内部へ最大に挿入されたとき可動管フランジが第ｎ−１管フランジに係合して第ｎ管のそれ以上の挿入を阻止する。
【００１３】
本発明の別の特徴によれば、各摺動リングは、それぞれリング溝に断面Ｕ字形のパッキンを収容した構造を備える。また、伸縮可能な流体用組立管は、箱形断面のブーム（桁）を、例えば２〜６段、テレスコピック式に伸縮する箱形ブーム式クレーンのブーム組立体に並行に配置され、各管フランジの各々がブーム組立体の対応する部分と連結され、ブーム組立体により支持されると共に、各管がブーム組立体の対応部分の移動により移動される。
【００１４】
本発明の更に別の特徴によれば、伸縮可能な流体用組立管が、伸縮運動可能なブーム組立体に並行に配置され、可動管フランジがブーム組立体の対応する部分と連結され、可動管フランジは、ブーム組立体により支持されると共に、ブーム組立体の対応する部分の移動により移動される。伸縮可能な流体用組立管は、伸縮運動可能なブーム組立体の両側に並行にそれぞれ１組ずつ配置され、各組立管の可動管フランジがブーム組立体の対応する部分と連結されてブーム組立体の対応する部分の移動により移動され、高圧水及び高圧空気がそれぞれ１組の組立管を通りブーム組立体の先端に配置された人工雪製造用スプレーノズルへ供給されることを特徴とする。ブーム組立体の基部が、支持台上に配置される水平方向の支持軸により支持され、ブーム組立体の基部が支持軸のまわりに回動されることによりブーム組立体の先端の高さが変更可能であり、支持台が垂直軸のまわりに回転されることによりブーム組立体の先端の水平位置が変更可能にされ、スプレーノズルは、水平面内及び垂直面内においてブーム組立体の長手方向に対しそれぞれ所定角度変更可能である
本発明の別の特徴によれば、降雪機の伸縮可能なブーム組立体の基部が、支持台上に配置される水平方向の支持軸により支持され、ブーム組立体の基部が支持軸のまわりに回動されることによりブーム組立体の先端の高さが変更可能であり、支持台が垂直軸のまわりに回転されることによりブーム組立体の先端の水平位置が変更可能にされ、水噴射ノズルは、水平面内及び垂直面内においてブーム組立体の長手方向に対しそれぞれ所定角度変更可能にされる。
【００１５】
【作用】
本発明の組立管においては、固定管フランジが可動管外周面に摺動可能に密封係合する固定管密封リングを備えて固定管第２端と可動管外周面の間を密封し、固定管内部に位置する可動管第１端に可動管摺動リングが固着され、可動管摺動リングは、固定管内周面に摺動可能に密封係合して固定管内周面と可動管第１端の間を密封する。それ故、組立管内の比較的高圧の流体は、固定管と可動管の端部から漏洩せず、また、固定管と可動管が互いに摺動し組立管の長さが変化する過程において、漏洩が生じることなく流動される。
【００１６】
可動管が固定管内部から最大に引き出されたとき可動管摺動リングが固定管密封リングに係合され、可動管のそれ以上の引き出しが阻止される。可動管が固定管内部へ最大に挿入されたとき可動管フランジが固定管フランジに係合して可動管のそれ以上の挿入が阻止される。
【００１７】
本発明の組立管は、組立管の両端の距離を、例えば、伸縮ブームにより、短縮することにより、組立管を構成する複数の管がそれぞれ外側管の内部へ内側管が入り込むことにより組立管全体の距離が短縮され、また、その逆に、組立管の両端の距離を伸長することにより、組立管を構成する複数の管がそれぞれ外側管の内部から内側管が引出され、組立管全体の距離が伸長する。
【００１８】
本発明の組立管は、伸縮運動可能なブーム組立体に並行に配置され、各管フランジが、ブーム組立体の対応する部分と連結され、ブーム組立体により支持されると共に、ブーム組立体の伸縮運動により伸縮され、ブームにより伸長されると共に、伸長された組立管を構成する各管の端部付近においてブームにより支持されるから、管の自重又は管内を通過される流体の重量により、組立管がたわみむことが防止され、またたわむことから生じる流体の漏洩が防止される。
【００１９】
本発明の組立管は、伸縮可能な流体用組立管を降雪機のスプレーノズルへ水又は空気を供給するために用いてスプレーノズルの位置を架台に対し水平方向又は垂直方向に変化させる場合、組立管は、伸縮により下方へ垂れ下がることがなく、容易に伸縮可能であると共に、比較的高圧の流体供給管がゲレンデの雪表面へ近づき障害、又は危険を生じることがない。
【００２０】
【発明の実施の形態】
図面を参照し、本発明の実施例を説明する。図１は、本発明の実施例の流体用組立管の縮小時における図解的な部分断面平面図、図２は、本発明の実施例の組立管の伸長時における図解的な側面図、図３は、本発明の組立管の摺動リングの構造を示す図解的な断面図、図４は、図１の線Ａ−Ａに沿って取った図解的な断面図である。
【００２１】
図１〜図４は、固定管Ｓ内部に、同心の３本の可動管、即ち、第１管Ｒ１、第２管Ｒ２、及び第３管Ｒ３を有する伸縮可能な流体用組立管１０の事例を示す。固定管Ｓ第１端に第１開口１６を備える第１開口フランジ１４が固着され、固定管第２端に固定管フランジ１８が固着される。固定管フランジ１８は、ブラケット１７を介して支持される。固定管フランジ１８は、第１管Ｒ１外周面に摺動可能に密封係合する固定管密封リング１９を備え、固定管第２端と第１管外周面の間を密封する。図３に詳細に示すように、固定管内部に位置する第１管Ｒ１の第１端に第１管摺動リング２２が装着され、第１管Ｒ１の第２端に第１フランジ３２がナット３１により固着される。このように、固定管Ｓと第１管Ｒ１の間は、固定管密封リング１９及び第１管摺動リング２２により二重に密封され、両管内を流動される流体の外部への漏洩が阻止される。
【００２２】
第１管摺動リング２２は、固定管Ｓ内周面に摺動可能に密封係合して固定管内周面と第１管Ｒ１第１端の間を密封する。第１管Ｒ１が固定管内部から最大に引き出されたとき第１管摺動リング２２が固定管密封リング１９に係合して第１管Ｒ１のそれ以上の引き出しを阻止する。第１管Ｒ１が固定管Ｓ内部へ最大に挿入されたとき、第１管フランジ３２が固定管フランジ１８に係合して第１管Ｒ１のそれ以上の挿入を阻止する。このようにして、固定管Ｓに対する第１管Ｒ１の移動範囲が所定範囲内とされ、固定管Ｓから第１管Ｒ１が抜落ちたり、第１管Ｒ１が固定管Ｓ内へ入り過ぎて次の引き出しが困難となるような不都合が防止される。
【００２３】
第１管Ｒ１内部に位置する第２管Ｒ２第１端に第２管摺動リング４２が装着される。第２管摺動リング４２は、第１管Ｒ１内周面に摺動可能に密封係合して第１管内周面と第２管Ｒ２管１端の間を密封する。第２管Ｒ２の第２端に第２管フランジ４４がナット４１により固着され、第２管フランジ４４は、第３管Ｒ３外周面に摺動可能に密封係合する第２管密封リング４５を備えて第２管Ｒ２第２端と第３管Ｒ３外周面の間を密封する。第２管Ｒ２内に位置する第３管Ｒ３第１端に第３管摺動リング４６が固着される。第３管摺動リング４６は、第２管Ｒ２内周面に摺動可能に密封係合して第２管内周面と第３管第１端の間を密封する。
【００２４】
第２開口２６を有する可動管フランジ２４及び第２開口２６に連通されるソケット２７が、第３管Ｒ３第２端に設けられる。第３管Ｒ３が第２管Ｒ２内部から最大に引き出されたとき第３管摺動リング４６が第２管密封リング４５に係合し第３管のそれ以上の引き出しを阻止し、第３管Ｒ３が第２管Ｒ２内部へ最大に挿入されたとき可動管フランジ２４が第３管フランジ４４に係合して第３管のそれ以上の挿入を阻止する。第１管フランジ３２は、例えば、後述するブーム組立体の対応する部分と第１フランジを連結するボルト等の連結部材２１を備え、第２管フランジ４４、ソケット２７は、同様の連結部材２３、２５をそれぞれ具備する。
【００２５】
可動管が１本であるときは、固定管Ｓ、固定管Ｓ内の可動管Ｒの第１端の構成は、図１〜４と同じであり、可動管Ｒの第２端が、図１〜４の第３管の第２端と同じ構成、即ち、可動管フランジ２４及び第２開口２６が設けれる構成となる。
【００２６】
また、可動管が、３本より多い同心の管、即ち、外側から内側へ順に配置される第１管Ｒ１、第２管Ｒ２・・・第ｎ−１管Ｒｎ−１、第ｎ管（ｎ≧３）から構成される場合は、固定管Ｓ、第１管Ｒ１、第２管Ｒ２の構成は、図１〜３と同様であるが、可動管の最内側の第ｎ管Ｒｎ、及びその外側の第ｎ−１管Ｒｎ−１は、図１〜４の場合の第２管及び第３管の構成とほぼ同様となる。即ち、第２開口側の第ｎ−１管Ｒｎ−１の第２端に第ｎ−１管フランジ４４が固着され、第ｎ−１管フランジ４４は、第ｎ管Ｒｎ外周面に摺動可能に密封係合する第ｎ−１管密封リング４５を備えて第ｎ−１管Ｒｎ−１第２端と第ｎ管Ｒｎ外周面の間を密封する。第ｎ−１管Ｒｎ−１内に位置する第ｎ管Ｒｎ第１端に第ｎ管摺動リング４６が固着される。
【００２７】
第ｎ管摺動リング４６は、第ｎ−１管Ｒｎ−１内周面に摺動可能に密封係合して第ｎ−１管内周面と第ｎ管第１端の間を密封する。可動管フランジ２４及び流体出口２６が、第ｎ管Ｒｎ第２端に設けられる。第ｎ管が第ｎ−１管内部から最大に引き出されたとき第ｎ管摺動リング４６が第ｎ−１管密封リング４５に係合し第ｎ管のそれ以上の引き出しを停止し、第ｎ管が第ｎ−１管内部へ最大に挿入されたとき可動管フランジ２４が第ｎ−１管フランジ４４に係合して第ｎ管のそれ以上の挿入を阻止する。
【００２８】
図３は、可動管摺動リング２２、第２管摺動リング４２を拡大して示す図解的断面図である。図３に示すように、摺動リング２２、４２は、それぞれＵ−パッキン２１及び摺動リング２３の組合せをそれぞれ２対備えることにより、２０ｋｇ／ｃｍ２程度の高圧水、高圧空気等の流体をほぼ漏洩させることなく、流すことができる。
【００２９】
図５は、本発明の組立管を応用した降雪機の図解的な側面図であり、図６は、図５の降雪機の平面図である。図５に示すように、伸縮可能な流体用組立管１０は、４段の箱形断面のブーム（桁）Ｂ０、Ｂ１、Ｂ２、Ｂ３を具備し、可動ブームをテレスコピック式に伸縮する箱形ブーム式クレーンのブーム組立体Ｂに並行に配置される。図６に示すように、組立管１０は、ブーム組立体Ｂの両側にそれぞれ１組ずつ配置され、一方の組立管が高圧水をブーム組立体の延長部分６１、６１’に装着される降雪ノズル６６へ供給するために使用され、他方の組立管が高圧空気を降雪ノズル６６へ供給するために使用される。
【００３０】
降雪ノズル６６は、延長部分６１、６１’上の小型電動機を備えるターンテーブル６２を介して垂直軸線のまわりに角度Ｄ回転可能に装着される。角度Ｄは、例えば、１２０度である。また、降雪ノズル６６は、図５に示すように、水平軸線のまわりに、例えば、水平方向から下向き方向まで約９０度、揺動可能に装着される。ターンテーブル６２の回転は、図示しないリミットスイッチにより、任意の角度の旋回を可能にすることができる。
【００３１】
図６において明らかなように、組立管１０の固定管Ｓは、ブーム組立体の固定ブームＢ０に連結され支持され、組立管のソケット２７は、ブーム組立体のブームＢ３の先端に連結されると共に支持され、ブームの伸縮に伴って組立管１０の伸縮が行われる。組立管１０、１０の第３管Ｒ３、Ｒ３は、それぞれホース６４、６４を介し、降雪ノズル６６へ連通され、高圧水及び高圧空気を降雪ノズル６６へ供給する。
【００３２】
図５に示すように、ブーム組立体Ｂの基部が、垂直方向の架台５４の上部に配置される図示しない水平支持軸のまわりに回転可能に支持され、水平支持軸から所定距離の固定ブームＢ０の部分が油圧モータにより上昇又は下降されるリフティング装置５５により、ブーム組立体ＢのブームＢ３の先端に配置される降雪ノズル６６の地上からの高さが変化される。垂直方向の架台５４は、その下方に設けられる旋回装置５３により支持されると共に、旋回装置５３により垂直軸のまわりに、例えば、１２０度、旋回可能にされる。旋回装置５３は、支柱５１を介し、地面に固定され、旋回装置の下方に隣接し、動力制御盤を備える動力室が配置される。
【００３３】
伸縮するブーム組立体Ｂと垂直方向の架台５４は、水平支持軸により連結され、図５に示すように、逆Ｌ字形を形成する。旋回装置は、歯車等の伝動機構により、全周にわたり旋回可能とすることができる。垂直方向の架台５４上のブーム組立体Ｂの背上部にコードリール５６をが配置され、ブーム組立体Ｂの伸縮に応じて架台５４から降雪ノズル６６へ伸長する電力供給コードを繰り出し又は巻取るようにされる。この構成により、電力供給コードの垂れ下がりを防止し、損傷や危険を防止することが可能である。
【００３４】
図５及び図６の降雪機によれば、降雪ノズルの位置を、降雪機の固定点、例えば、支柱５１より、２ｍ〜１５ｍの全方向への空間の任意の位置へ移動させることができ、降雪作業範囲を広くすることができる。また、ブーム組立体を伸長すると共に、リフティング装置５５により、ブーム組立体の先端の降雪ノズル６６の地上からの高さを増大させ、高い位置からの造雪により低い外気温度を利用し、雪質を良好にすることができる。
【００３５】
【発明の効果】
本発明の組立管においては、固定管フランジが可動管外周面に摺動可能に密封係合する固定管密封リングを備えて固定管第２端と可動管外周面の間を密封し、固定管内部に位置する可動管第１端に可動管摺動リングが固着され、可動管摺動リングは、固定管内周面に摺動可能に密封係合して固定管内周面と可動管第１端の間を密封する。それ故、固定管と可動管は、相互に摺動されるときにおいても、２か所において密封され、組立管内の比較的高圧の流体は、固定管と可動管の端部から漏洩しない。
【００３６】
本発明の組立管においては、可動管が固定管内部から最大に引き出されたとき可動管摺動リングが固定管密封リングに係合され、可動管のそれ以上の引き出しが阻止される。可動管が固定管内部へ最大に挿入されたとき可動管フランジが固定管フランジに係合して可動管のそれ以上の挿入が阻止される。それ故、固定管から可動管が抜け落ちたり、可動管が固定管内へ入り過ぎて次の伸長が困難になるような不都合が防止される。
【００３７】
本発明の組立管は、組立管の両端の距離を、例えば、伸縮ブームにより、短縮することにより、組立管を構成する複数の管がそれぞれ外側管の内部へ内側管が入り込むことにより組立管全体の距離が短縮され、その場合、各管は、いずれも各管のフランジにより外側の管内へ入り過ぎることは生じない。また、組立管の両端の距離を、例えば、ブーム組立体を使用し伸長することにより、組立管を構成する複数の管がそれぞれ外側管の内部から内側管が引出され、その場合、各管は、いずれも各管の密封リングと摺動リングが係合することにより相互に抜け出すことなく、管立管全体の距離が伸長される。
【００３８】
本発明の組立管は、伸縮運動可能なブーム組立体に並行に配置され、各管フランジが、ブーム組立体の対応する部分と連結され、ブーム組立体により支持されると共に、ブーム組立体の伸縮運動により伸縮され、ブームにより伸長されると共に、伸長された組立管を構成する各管の端部付近においてブームにより支持されるから、管の自重又は管内を通過される流体の重量により、組立管がたわみむことが防止され、またたわむことから生じる流体の漏洩が防止される。
【００３９】
本発明の組立管は、伸縮可能な流体用組立管を降雪機のスプレーノズルへ水又は空気を供給するために用いてスプレーノズルの位置を架台に対し水平方向又は垂直方向に変化させる場合、組立管は、伸縮により下方へ垂れ下がることがなく、容易に伸縮可能であると共に、比較的高圧の流体供給管がゲレンデの雪表面へ近づき障害、又は危険を生じることがない。
【図面の簡単な説明】
【図１】本発明の実施例の組立管の縮小時における図解的な部分的断面平面図。
【図２】本発明の実施例の組立管の伸長時における図解的な側面図。
【図３】本発明の組立管の摺動リングの構造を示す図解的な断面図。
【図４】図１の線Ａ−Ａに沿って取った図解的な断面図。
【図５】本発明の組立管を応用した降雪機の図解的な側面図。
【図６】図５の降雪機の平面図である。
【符号の説明】
１０：組立管、１２：固定管内周面、１６：第１開口、１４：第１開口フランジ、１７：ブラケット、１８：固定管フランジ、１９：固定管密封リング、２１：Ｕ−パッキン、２１、２３、２５：連結部材、２２：可動管摺動リング、２３：摺動リング、２４：可動管フランジ、２６：第２開口、２７：ソケット、３１：ナット、３２：第１管フランジ、３９：第１管密封リング、４２：第２管摺動リング、４４：第２管フランジ（第ｎ−１管フランジ）、４５：第２管密封リング（第ｎ−１管密封リング）、４６：第３管摺動リング（第ｎ管摺動リング）、５１：支柱、５３：旋回装置、５４：架台、５５：リフティング装置、５６：コードリール、６１、６１’：延長部分、６２：ターンテーブル、６４：ホース、６６：降雪ノズル、Ｂ：ブーム組立体、Ｄ：角度、Ｒ：可動管、Ｒ１：第１管、Ｒ２：第２管、Ｒｎ−１：第ｎ−１管、Ｒｎ：第ｎ管、Ｓ：固定管。
【図１】
0003612146.tif 000002
【図２】
0003612146.tif 000003
【図３】
0003612146.tif 000004
【図４】
0003612146.tif 000005
【図５】
0003612146.tif 000006
【図６】
0003612146.tif 000007